(57)【要約】【課題】駆動トランジスタの特性変化を補償できる有機発光表示装置及びその駆動方法を提供する。【解決手段】データ電圧に対応するデータ電流で発光素子を発光させる駆動トランジスタを有する複数の画素を含む表示パネルと、上記表示パネルの周囲に使用者が存在しない時間区間の間、上記各画素に含まれた駆動トランジスタのしきい値電圧または移動度のうち少なくとも１つを含む駆動トランジスタの特性を検出し、各画素に含まれた駆動トランジスタの特性検出が完了すると、検出結果に応じて入力データを補償して上記データ電圧を生成するパネル駆動部と、上記表示パネルの周囲に使用者が存在するか否かをセンシングし、センシング結果を上記パネル駆動部に提供するセンサ部とを含む。【選択図】図２
2014109778.tif 000002
【特許請求の範囲】
【請求項１】
データ電圧に対応するデータ電流で発光素子を発光させる駆動トランジスタを有する複数の画素を含む表示パネルと、
上記表示パネルの周囲に使用者が存在しない時間区間の間、上記各画素に含まれた駆動トランジスタのしきい値電圧または移動度のうち少なくとも１つを含む駆動トランジスタの特性を検出し、各画素に含まれた駆動トランジスタの特性検出が完了すると検出結果に応じて入力データを補償して上記データ電圧を生成するパネル駆動部と、
上記表示パネルの周囲に使用者が存在するか否かをセンシングし、センシング結果を上記パネル駆動部に提供するセンサ部と
を含むことを特徴とする有機発光表示装置。
【請求項２】
上記パネル駆動部は、各水平ラインに含まれた画素の輝度及び周波数成分のうち少なくとも１つによって各水平ライン別に上記駆動トランジスタの特性を検出するための検出順序を決定することを特徴とする請求項１に記載の有機発光表示装置。
【請求項３】
上記パネル駆動部は、各水平ラインに含まれた画素の平均輝度が高い水平ラインから低い水平ラインの順に順次上記検出順序を決定することを特徴とする請求項２に記載の有機発光表示装置。
【請求項４】
上記パネル駆動部は、各水平ラインに含まれた画素の輝度値を周波数成分に変換して最も高い周波数成分を各水平ラインの代表周波数値として決定し、代表周波数成分が高い水平ラインから代表周波数成分が低い水平ラインの順に順次上記検出順序を決定することを特徴とする請求項２に記載の有機発光表示装置。
【請求項５】
上記センサ部は、熱センサ、赤外線センサ、及びフォトセンサのうち少なくとも１つを用いて上記パネルの周囲に使用者が存在するか否かをセンシングすることを特徴とする請求項１に記載の有機発光表示装置。
【請求項６】
駆動中の表示パネルの周囲に使用者が存在しない時間区間の間、上記表示パネルに含まれた各画素の駆動トランジスタのしきい値電圧及び移動度のうち少なくとも１つを含む駆動トランジスタの特性を検出する段階と、
上記表示パネルに含まれた各画素の駆動トランジスタの特性が検出されると、検出結果に応じて入力データを補償してデータ電圧を生成する段階と、
上記データ電圧に対応するデータ電流を上記表示パネルに含まれた発光素子に供給して上記発光素子を発光させる段階と
を含むことを特徴とする有機発光表示装置の駆動方法。
【請求項７】
上記表示パネルの各水平ラインに含まれた画素の輝度及び周波数成分のうち少なくとも１つによって水平ライン別に上記駆動トランジスタの特性の検出順序を決定する段階をさらに含むことを特徴とする請求項６に記載の有機発光表示装置の駆動方法。
【請求項８】
上記駆動トランジスタの特性の検出順序を決定する段階において、
各水平ラインに含まれた画素の平均輝度が高い水平ラインから低い水平ラインの順に順次上記検出順序を決定することを特徴とする請求項７に記載の有機発光表示装置の駆動方法。
【請求項９】
上記駆動トランジスタの特性の検出順序を決定する段階において、
各水平ラインに含まれた画素の輝度値を周波数成分に変換して最も高い周波数成分を各水平ラインの代表周波数値に決定し、代表周波数成分が高い水平ラインから代表周波数成分が低い水平ラインの順に順次上記検出順序を決定することを特徴とする請求項７に記載の有機発光表示装置の駆動方法。
【請求項１０】
熱センサによって感知される温度変化またはフォトセンサによって撮影されるイメージ変化を用いて上記表示パネルの周囲に使用者が存在するか否かを判断する段階をさらに含むことを特徴とする請求項６に記載の有機発光表示装置の駆動方法。
【発明の詳細な説明】
【技術分野】
【０００１】
本発明は、有機発光表示装置及びその駆動方法に関するものである。
【背景技術】
【０００２】
最近、マルチメディアの発達とともに平板表示装置の重要性が増大している。これに応じて液晶表示装置、プラズマ表示装置、有機発光表示装置などの平板表示装置が商用化されている。このような、平板表示装置の中で有機発光表示装置は、高速の応答速度を有し、消費電力が低く、自体発光タイプであって視野角に問題がないため、次世代の平板表示装置として注目されている。
【０００３】
一般的な有機発光表示装置は、複数の画素を含む表示パネルと各画素を発光させるパネル駆動部を含む。ここで、各画素は、複数のデータラインと複数のゲートラインの交差によって定義される画素領域に形成される。
【０００４】
このような各画素は、図１に示されたように、スイッチングトランジスタＳＴ、駆動トランジスタＤＴ、キャパシタＣｓｔ、及び発光素子ＯＬＥＤを含む。
【０００５】
スイッチングトランジスタＳＴは、ゲートラインＧに供給されるゲート信号ＧＳによってスイッチングされてデータラインＤに供給されるデータ電圧Ｖｄａｔａを駆動トランジスタＤＴに供給する。
【０００６】
駆動トランジスタＤＴは、スイッチングトランジスタＳＴから供給されるデータ電圧Ｖｄａｔａによってスイッチングされて駆動電源(VDD)から発光素子ＯＬＥＤに流れるデータ電流(Ioled)を制御する。
【０００７】
キャパシタＣｓｔは、駆動トランジスタＤＴのゲート端子とソース端子の間に接続されて駆動トランジスタＤＴのゲート端子に供給されるデータ電圧Ｖｄａｔａに対応する電圧を格納し、格納された電圧で駆動トランジスタＤＴをターン−オンさせる。
【０００８】
発光素子ＯＬＥＤは、駆動トランジスタＤＴのソース端子とカソード電源ＶＳＳの間に電気的に接続され、駆動トランジスタＤＴから供給されるデータ電流Ｉｏｌｅｄによって発光する。
【０００９】
このような一般的な有機発光表示装置の各画素は、データ電圧Ｖｄａｔａによる駆動トランジスタＤＴのスイッチングを用いて駆動電源ＶＤＤから発光素子ＯＬＥＤに流れるデータ電流Ｉｏｌｅｄの大きさを制御し、発光素子ＯＬＥＤを発光させることによって所定の映像を表示するようになる。
【００１０】
しかし、一般的な有機発光表示装置においては、薄膜トランジスタの製造工程の不均一性によって駆動トランジスタＤＴの特性（例えば、しきい値電圧Ｖｔｈ／移動度）が駆動トランジスタＤＴ別に異なるようになる問題がある。これによって、一般的な有機発光表示装置においては、各画素の駆動トランジスタＤＴに同一のデータ電圧Ｖｄａｔａを印加しても発光素子ＯＬＥＤに流れる電流の偏差によって均一の画質を具現することができないという問題がある。
【発明の開示】
【発明が解決しようとする課題】
【００１１】
本発明は、前述した問題を解決するためになされたものであって、駆動トランジスタの特性変化を補償できる有機発光表示装置及びその駆動方法を提供することをその技術的課題とする。
【００１２】
また、本発明は、駆動トランジスタの特性変化の補償による画面の均一性（Uniformity）変化を使用者が認知できなくする有機発光表示装置及びその駆動方法を提供することを更なる技術的課題とする。
【課題を解決するための手段】
【００１３】
上述した技術的課題を達成するための本発明の一側面による有機発光表示装置は、データ電圧に対応するデータ電流で発光素子を発光させる駆動トランジスタを有する複数の画素を含む表示パネルと、上記表示パネルの周囲に使用者が存在しない時間区間の間、上記各画素に含まれた駆動トランジスタのしきい値電圧または移動度のうち少なくとも１つを含む駆動トランジスタの特性を検出し、各画素に含まれた駆動トランジスタの特性検出が完了すると、検出結果に応じて入力データを補償して上記データ電圧を生成するパネル駆動部と、上記表示パネルの周囲に使用者が存在するか否かをセンシングし、センシング結果を上記パネル駆動部に提供するセンサ部とを含むことを特徴とする。
【００１４】
上述した技術的課題を達成するための本発明の他の側面による有機発光表示装置の駆動方法は、駆動中の表示パネルの周囲に使用者が存在しない時間区間の間、上記表示パネルに含まれた各画素の駆動トランジスタのしきい値電圧及び移動度のうち少なくとも１つを含む駆動トランジスタの特性を検出する段階と、上記表示パネルに含まれた各画素の駆動トランジスタの特性が検出されると、検出結果に応じて入力データを補償してデータ電圧を生成する段階と、上記データ電圧に対応するデータ電流を上記表示パネルに含まれた発光素子に供給して上記発光素子を発光させる段階とを含むことを特徴とする。
【発明の効果】
【００１５】
本発明によると、各画素から検出された駆動トランジスタの特性変化を入力データに反映させることによって、各画素に含まれた駆動トランジスタの特性変化を周期的またはリアルタイムで補償し、輝度の均一度を向上させることができるという効果がある。
【００１６】
また、本発明によると、表示パネルの周囲に使用者が存在しない時間区間の間にのみ駆動トランジスタの特性変化を検出し、全ての駆動トランジスタの特性変化検出が完了した以後に各駆動トランジスタの特性変化が補償されるため、駆動トランジスタの特性変化の補償によって発生する画面の均一性(Uniformity)変化を使用者が認知できなくなり、これによって有機発光表示装置を通じて表示される映像の画質満足度を向上させることができるという効果がある。
【図面の簡単な説明】
【００１７】
【図１】一般的な有機発光表示装置の画素構造を説明するための回路図である。
【図２】本発明の一実施例による有機発光表示装置を説明するための図面である。
【図３】熱センサを用いて使用者が存在するか否かを判断する方法を示す図面である。
【図４Ａ】フォトセンサを用いて使用者が存在するか否かを判断する方法を示す図面である。
【図４Ｂ】フォトセンサを用いて使用者が存在するか否かを判断する方法を示す図面である。
【図４Ｃ】フォトセンサを用いて使用者が存在するか否かを判断する方法を示す図面である。
【図５Ａ】センサ部の設置位置を例示的に示す図面である。
【図５Ｂ】センサ部の設置位置を例示的に示す図面である。
【図５Ｃ】センサ部の設置位置を例示的に示す図面である。
【図５Ｄ】センサ部の設置位置を例示的に示す図面である。
【図６】本発明が適用されることができる有機発光表示装置の一例を示す図面である。
【図７】図６に示された画素構造を説明するための回路図である。
【図８】図６に示されたカラム(column)駆動部を説明するための図面である。
【図９】図６に示されたタイミング制御部を説明するための図面である。
【図１０】本発明の一例による有機発光表示装置の表示モード時の駆動波形を示す波形図である。
【図１１】本発明の一例による有機発光表示装置の検出モード時の駆動波形を示す波形図である。
【図１２】本発明の一実施例による有機発光表示装置の駆動方法を示すフローチャートである。
【発明を実施するための形態】
【００１８】
本明細書で各図面の構成要素に参照番号を付加するにおいて、同一の構成要素に限っては、たとえ異なる図面上に表示されてもできる限り同一の番号を有していることに留意すべきである。
【００１９】
一方、本明細書において記述される用語の意味は次の通り理解されるべきである。単数の表現は文脈上明確に異なるように定義しない限り複数の表現を含むものと理解されるべきであり、「第１」、「第２」などの用語は１つの構成要素を他の構成要素と区別するためのものであって、これらの用語によって権利範囲が限定されてはならない。
【００２０】
「含む」または「有する」などの用語は１つまたはそれ以上の他の特徴や数字、段階、動作、構成要素、部分品またはこれらを組み合わせたものの存在または付加可能性を予め排除しないものと理解されなければならない。
【００２１】
「少なくとも１つ」という用語は１つ以上の関連項目から提示可能な全ての組合わせを含むものと理解されなければならない。例えば、「第１項目、第２項目及び第３項目のうち少なくとも１つ」という意味は、第１項目、第２項目または第３項目それぞれだけでなく第１項目、第２項目及び第３項目のうち２つ以上から提示されることができる全ての項目の組合わせを意味する。
【００２２】
以下、添付される図面を参照して本発明の実施例について詳細に説明する。図２は、本発明の一実施例による有機発光表示装置を説明するための図面である。図２を参照すると、本発明の一実施例による有機発光表示装置は、表示パネル１１０、パネル駆動部１２０、及びセンサ部１３０を含む。まず、表示パネル１１０は複数の画素(P)を含む。複数の画素Ｐそれぞれに含まれた発光素子は、各画素Ｐに含まれた駆動トランジスタＤＴから出力されるデータ電流によって発光するようになる。
【００２３】
次に、パネル駆動１２０は、表示パネル１１０を表示モードで駆動したり検出モードで駆動する。ここで、表示モードとは、入力データにより各画素Ｐに含まれた発光素子を発光させることによって所定の映像が表示されるようにするモードを意味する。検出モードとは、各画素Ｐに含まれた駆動トランジスタＤＴのしきい値電圧及び移動度のうち少なくとも１つを含む駆動トランジスタＤＴの特性（以下、「駆動トランジスタ（ＤＴの特性」という）を検出するモードを意味する。
【００２４】
このように、パネル駆動１２０は、検出モードで検出された駆動トランジスタＤＴの特性を入力データに反映させて駆動トランジスタＤＴの特性変化を補償する。これにより，以後の表示モードでは、駆動トランジスタＤＴの特性変化が反映された入力データによって各画素Ｐに含まれた発光素子が発光される。
【００２５】
特に、本発明によるパネル駆動１２０は、表示パネル１１０の周囲に使用者が存在しない時間区間の間にのみ各画素Ｐに含まれた駆動トランジスタＤＴの特性を検出するようになる。即ち、パネル駆動１２０は、表示パネル１１０の周囲に使用者が存在しない時間区間の間にのみ表示パネル１１０を検出モードで駆動し、表示パネル１１０の周囲に使用者が存在する時間区間の間は表示パネル１１０を表示モードで駆動するようになる。
【００２６】
このような実施例によると、パネル駆動１２０は、表示パネル１１０に含まれた全ての画素Ｐの駆動トランジスタＤＴの特性検出が完了した以後に、検出結果に応じて入力データを補償し、補償された入力データをデータ電圧に変換して表示パネル１１０に印加するようになる。
【００２７】
パネル駆動１２０は、表示パネル１１０の周囲に使用者が存在しない時間区間の間に駆動トランジスタＤＴの特性を検出する際に、ブランク期間ごとに表示パネル１１０に含まれた複数の水平ラインのうち１つの水平ラインに含まれた画素Ｐの駆動トランジスタＤＴの特性を検出し、このような方法で複数のフレームのブランク期間にわたり表示パネル１１０の全ての画素Ｐの駆動トランジスタＤＴの特性を検出する。
【００２８】
一実施例において、パネル駆動１２０は、各水平ラインに含まれた画素Ｐの輝度及び周波数成分によって各水平ライン別に駆動トランジスタの特性を検出するための検出順序を決定し、表示パネル１１０の周囲に使用者が存在しない時間区間の間に、検出順序に従って順次各水平ラインに含まれた画素Ｐの駆動トランジスタＤＴの特性を検出することができる。
【００２９】
例えば、パネル駆動１２０は、各水平ラインを各水平ラインに含まれた画素Ｐの平均輝度順に羅列し、各水平ラインに含まれた画素Ｐの平均輝度が高い水平ラインから低い水平ラインの順に順次検出順序を決定することができる。
【００３０】
他の例として、パネル駆動１２０は、各水平ラインに含まれた画素Ｐの輝度値を周波数成分に変換した時に最も高い周波数成分を各水平ラインの代表周波数値として決定し、代表周波数値が高い水平ラインから低い水平ラインの順に順次検出順序を決定することができる。
【００３１】
次に、センサ部１３０は、多様なセンサを用いて表示パネル１１０の周囲に使用者が存在するか否かをセンシングし、センシング結果をパネル駆動１２０に伝達する。一実施例において、センサ部１３０は、熱センサ、赤外線センサ、及びフォトセンサのうち少なくとも１つを用いて表示パネル１１０の周囲に使用者が存在するか否かをセンシングすることができる。
センサ部１３０が熱センサを用いて具現される場合、熱センサによって感知される温度変化を用いて表示パネル１１０の周囲に使用者が存在するか否かを判断するようになる。
【００３２】
例えば、図３の（ａ）に示されたように温度変化が感知されない場合には、表示パネル１１０の周囲に使用者がいないと判断し、図３の（ｂ）に示されたように温度変化が感知されると、表示パネル１１０の周囲に使用者が存在するものと判断して、その結果をパネル駆動１２０に伝達する。
【００３３】
また、センサ部１３０がフォトセンサを用いて具現される場合、フォトセンサを用いて撮影されたＮ−１番目のイメージとＮ番目のイメージを比較して表示パネル１１０の周囲に使用者が存在するか否かを判断するようになる。
【００３４】
例えば、センサ部１３０は、図４Ａに示されたようなＮ−１番目の撮影イメージと図４Ｂに示されたようなＮ番目の撮影イメージを用いて図４Ｃに示されたようなＮ−１番目のイメージとＮ番目のイメージ間の差イメージを算出し、これを通じて使用者の動きや目のまばたきなどのような変化を確認することによって、表示パネル１１０の周囲に使用者が存在するか否かを判断するようになる。
【００３５】
一方、図示されていないが、センサ部１３０が赤外線センサを用いて具現される場合、赤外線センサに含まれた発光部から発生して受光部を通じて再度受信される信号の強度が予め定められた値以下の場合には、表示パネル１１０の周囲に使用者がいないと判断し、受光部に受信される信号の強度が予め定められた値を超える場合には、表示パネル１１０の周囲に使用者がいると判断する。
【００３６】
赤外線センサの場合、赤外線センサの前方に特定の客体が存在すると発光部から発生した信号が特定の客体によって反射されて受光部を通じて受信されるため信号の強度が強く、赤外線センサの前方に特定の客体が存在しないと発光部から発生した信号が赤外線センサが設けられた面の反対面によって反射されて受光部を通じて受信されるため受信される信号の強度が弱かったり、反対面が存在しない場合には該当信号が受光部を通じて再度受信されないという原理に基づいたものである。
【００３７】
一方、このようなセンサ部１３０は、有機発光表示装置の多様な位置に設けられる。例えば、センサ部１３０は、図５Ａに示されたように有機発光表示装置５００の下端に設けられたり、図５Ｂに示されたように有機発光表示装置５００の下端の左右側にそれぞれ設けられたり、図５Ｃに示されたように有機発光表示装置５００の据付台５１０に設けられる。
【００３８】
他の例として、センサ部１３０は、図５Ｄに示されたように有機発光装置５００を遠隔で駆動させるためのリモコン５２０に設けられることもできる。この場合、センサ部１３０は、センシング結果を無線でパネル駆動１２０に転送するようになる。
【００３９】
上述したように、本発明によると、センサ部１３０によって表示パネル１１０の周囲に使用者が存在するか否かがセンシングされ、表示パネル１１０の周囲に使用者が存在しない時間区間の間にのみパネル駆動１２０が表示パネル１１０を検出モードで動作するようにし、全ての画素Ｐに含まれた駆動トランジスタＤＴの特性検出が完了すると、これを入力データに反映させて画素Ｐを駆動するため、使用者が入力データの補償による画面の不均一性を認知できなくなり、映像画質に対する満足度を向上させることができるようになる。
【００４０】
以下、図６〜図１１を参照して上述した特徴が適用された有機発光装置の構成を例として説明する。図６は、本発明の一例による有機発光表示装置の構成を説明するための図面であり、図７は、図６に示された画素構造を説明するための回路図である。
【００４１】
表示パネル１１０は複数の画素Ｐを含む。複数の画素Ｐは、互いに交差する複数のゲートライングループＧ１〜Ｇｍ、複数のデータラインＤ１〜Ｄｎ、複数のデータラインＤ１〜Ｄｎに並んだ複数の検出ラインＭ１〜Ｍｎ、及び複数のゲートライングループＧ１〜Ｇｍに並んだ複数の駆動電源ラインＰＬ１〜ＰＬｍによって定義される画素領域に形成される。
【００４２】
まず、複数の画素Ｐそれぞれは、画素回路ＰＣ及び発光素子ＯＬＥＤを含む。この時、複数の画素Ｐそれぞれは、赤色画素、緑色画素、青色画素、及び白色画素のうちいずれか１つであることができる。１つの映像を表示する１つの単位画素は、隣接した赤色画素、緑色画素、及び青色画素を含んだり、隣接した赤色画素、緑色画素、青色画素、及び白色画素を含むことができる。
【００４３】
一実施例において、画素回路ＰＣは、第１スイッチングトランジスタＳＴ１、第２スイッチングトランジスタＳＴ２、駆動トランジスタＤＴ、及びキャパシタＣｓｔを含むことができる。ここで、トランジスタＳＴ１，ＳＴ２，ＤＴは、Ｎ型薄膜トランジスタＴＦＴであって、ａ−Ｓｉ ＴＦＴ、ｐｏｌｙ−Ｓｉ ＴＦＴ、Ｏｘｉｄｅ ＴＦＴ、Ｏｒｇａｎｉｃ ＴＦＴなどである。
【００４４】
第１スイッチングトランジスタＳＴ１は、第１ゲートラインＧａに接続されたゲート電極、隣接したデータラインＤｉに接続された第１電極、及び駆動トランジスタＤＴのゲート電極である第１ノードｎ１に接続された第２電極を含む。このような上記第１スイッチングトランジスタＳＴ１は、第１ゲートラインＧａに供給されるゲートオン電圧に応じてデータラインＤｉに供給されるデータ電圧Ｖｄａｔａを第１ノードｎ１、即ち駆動トランジスタＤＴのゲート電極に供給する。
【００４５】
第２スイッチングトランジスタＳＴ２は、第２ゲートライＧｂに接続されたゲート電極、隣接した検出ラインＭｉに接続された第１電極、及び駆動トランジスタＤＴのソース電極である第２ノードｎ２に接続された第２電極を含む。このような第２スイッチングトランジスタＳＴ２は、第２ゲートライＧｂに供給されるゲートオン電圧に応じて検出ラインＭｉに供給される基準電圧Ｖｒｅｆ（またはプリチャージング電圧Ｖｐｒｅ）を第２ノードｎ２、即ち駆動トランジスタＤＴのソース電極に供給する。
【００４６】
キャパシタＣｓｔは、駆動トランジスタＤＴのゲート電極とソース電極、即ち第１及び第２ノードｎ１，ｎ２間に接続される第１及び第２電極を含む。このようなキャパシタＣｓｔは、第１及び第２ノードｎ１，ｎ２それぞれに供給される電圧の差電圧を充電した後、充電された電圧によって駆動トランジスタＤＴをスイッチングさせる。
【００４７】
駆動トランジスタＤＴは、第１スイッチングトランジスタＳＴ１の第２電極とキャパシタＣｓｔの第１電極に共通に接続されたゲート電極、第２スイッチングトランジスタＳＴ２の第１電極とキャパシタＣｓｔの第２電極及び発光素子ＯＬＥＤに共通に接続されたソース電極、及び駆動電源ラインＰＬｉに接続されたドレイン電極を含む。このような駆動トランジスタＤＴは、キャパシタＣｓｔの電圧によりターン−オンされることによって駆動電源ラインＰＬｉから発光素子ＯＬＥＤに流れる電流量を制御する。
【００４８】
上述した実施例においては、画素回路ＰＣが３つのトランジスタと１つのキャパシタで構成されるものと説明したが、画素回路ＰＣを構成するトランジスタ及びキャパシタの数は多様な変形が可能である。
【００４９】
発光素子ＯＬＥＤは、画素回路ＰＣ、即ち駆動トランジスタＤＴから供給されるデータ電流Ｉｏｌｅｄにより発光してデータ電流Ｉｏｌｅｄに対応する輝度を有する単色光を放出する。このために、発光素子ＯＬＥＤは、画素回路ＰＣの第２ノードｎ２に接続されたアノード電極（図示せず）、アノード電極上に形成された有機層（図示せず）、及び有機層上に形成されてカソード電源ＶＳＳが供給されるカソード電極（図示せず）を含む。この時、有機層は、正孔輸送層／有機発光層／電子輸送層の構造または正孔注入層／正孔輸送層／有機発光層／電子輸送層／電子注入層の構造を有するように形成されることができる。さらに、上記有機層は、有機発光層の発光効率及び／又は寿命などを向上させるための機能層をさらに含んで構成されることができる。そして、カソード電極は、複数の画素Ｐそれぞれに個別に形成されたり、複数の画素Ｐに共通に接続されるように形成されることができる。
【００５０】
複数のゲートライングループＧ１〜Ｇｍそれぞれは、表示パネル１１０の第１方向、例えば横方向に沿って並んで形成される。この時、複数のゲートライングループＧ１〜Ｇｍそれぞれは、互いに隣接した第１及び第２ゲートラインＧａ、Ｇｂから構成される。このような、各ゲートライングループＧ１〜Ｇｍの第１及び第２ゲートラインＧａ、Ｇｂには、パネル駆動１２０から互いに異なる第１及び第２ゲート信号が個別に供給される。
【００５１】
複数のデータラインＤ１〜Ｄｎそれぞれは、複数のゲートライングループＧ１〜Ｇｍそれぞれと交差するように表示パネル１１０の第２方向、例えば縦方向に沿って並んで形成される。このような各データラインＤ１〜Ｄｎには、パネル駆動１２０からデータ電圧Ｖｄａｔａが個別に供給される。
【００５２】
一実施例において、複数のデータラインＤ１〜Ｄｎを通じて各画素Ｐに供給されるデータ電圧Ｖｄａｔａは、該当画素Ｐに含まれた駆動トランジスタＤＴの特性変化が補償されたデータ電圧であることができる。この時、駆動トランジスタＤＴの特性は、駆動トランジスタのしきい値電圧及び駆動トランジスタの移動度のうち少なくとも１つを含むことができる。
【００５３】
複数の検出ラインＭ１〜Ｍｎそれぞれは、複数のデータラインＤ１〜Ｄｎそれぞれと並んで形成される。このような各検出ラインＭ１〜Ｍｎには、パネル駆動１２０から基準電圧Ｖｒｅｆまたはプリチャージング電圧Ｖｐｒｅが選択的に供給される。この時、基準電圧Ｖｒｅｆは、各画素Ｐのデータ充電期間の間に各検出ラインＳ１〜Ｓｎに供給され、プリチャージング電圧Ｖｐｒｅは、各画素Ｐの駆動トランジスタＤＴの特性を検出する検出期間のうち一部期間の間に検出ラインＭ１〜Ｍｎに供給される。
【００５４】
複数の駆動電源ラインＰＬ１〜ＰＬｍそれぞれは、複数のゲートライングループＧ１〜Ｇｍそれぞれと並んで形成される。各駆動電源ラインＰＬ１〜ＰＬｍには、パネル駆動１２０から一定の電圧レベルを有する駆動電源ＶＤＤが供給される。パネル駆動１２０は、カラム（column）駆動部１２２、ロウ（row）駆動部１２４、及びタイミング制御部１２６を含む。
【００５５】
カラム（column）駆動部１２２は、複数のデータラインＤ１〜Ｄｎに連結され、タイミング制御部１２６のモード制御によって表示モードと検出モードで動作する。この時、表示モードは、各画素Ｐをデータ充電期間及び発光期間に駆動できる。そして、検出モードは、各画素Ｐを初期化期間、検出電圧充電期間、及び電圧検出期間に駆動できる。
【００５６】
表示モード時、カラム（column）駆動部１２２は、各画素Ｐのデータ充電期間ごとに基準電圧Ｖｒｅｆを検出ラインＭ１〜Ｍｎに供給すると同時に、タイミング制御部１２６から供給される画素データＤＡＴＡをデータ電圧Ｖｄａｔａに変換して該当データラインＤ１〜Ｄｎに供給する。
【００５７】
検出モード時、カラム（column）駆動部１２２は、別途の検出期間ごとにプリチャージング電圧Ｖｐｒｅを検出ラインＭ１〜Ｍｎに供給すると同時に、タイミング制御部１２６から供給される検出用画素データＤＡＴＡを検出用データ電圧Ｖｄａｔａに変換して該当データラインＤ１〜Ｄｎに供給する。その後、カラム（column）駆動部１２２は、プリチャージング電圧Ｖｐｒｅと検出用データ電圧Ｖｄａｔａによって各画素Ｐの駆動トランジスタＤＴに流れる電流に対応する電圧が各検出ラインＭ１〜Ｍｎに充電されるように各検出ラインＭ１〜Ｍｎをフローティング（floating）させる。以後、カラム（column）駆動部１２２は、各検出ラインＭ１〜Ｍｎに充電された電圧を検出し、検出された電圧を各画素Ｐの駆動トランジスタＤＴの特性（しきい値電圧及び移動度のうち少なくとも１つ）に対応する検出データＤｓｅｎに変換してタイミング制御部１２６に提供する。
【００５８】
ロウ（row）駆動部１２４は、複数のゲートライングループＧ１〜Ｇｍに連結され、タイミング制御部１２６のモード制御によって表示モードと検出モードに動作する。表示モード時、ロウ（row）駆動部１２４は、タイミング制御部１２６から供給されるゲート制御信号ＧＣＳによって１水平期間ごとにゲートオン電圧レベルの第１及び第２ゲート信号ＧＳａ，ＧＳｂを生成し、ゲートライングループＧ１〜Ｇｍに順次供給する。この時、第１及び第２ゲート信号ＧＳａ，ＧＳｂそれぞれは、各画素Ｐのデータ充電期間の間ゲートオン電圧レベルを有し、各画素Ｐの発光期間の間ゲートオフ電圧レベルを有する。このようなゲート駆動部１２４ａは、ゲート制御信号ＧＣＳによってゲートライングループＧ１〜Ｇｍそれぞれに供給される第１及び第２ゲート信号ＧＳａ，ＧＳｂを順次出力するシフトレジスタであることができる。
【００５９】
一方、ゲート駆動部１２４ａは、第１及び第２ゲート信号ＧＳａ，ＧＳｂのゲートオン電圧レベルの幅をそれぞれ異なるように生成することもでき、隣接したゲートライングループＧ１〜Ｇｍそれぞれに供給されるゲートオン電圧レベルの第１及び第２ゲート信号ＧＳａ，ＧＳｂが少なくとも１水平期間の間重畳するように生成することもできる。
【００６０】
検出モード時、ロウ（row）駆動部１２４は、各画素Ｐの初期化期間及び検出電圧充電期間それぞれごとにゲートオン電圧レベルの第１及び第２ゲート信号ＧＳａ，ＧＳｂを生成して複数のゲートライングループＧ１〜Ｇｍそれぞれに供給し、各画素Ｐの電圧検出期間ごとにゲートオフ電圧レベルの第１ゲート信号ＧＳａとゲートオン電圧レベルの第２ゲート信号ＧＳｂを生成して複数のゲートライングループＧ１〜Ｇｍそれぞれに供給する。一方、ロウ（row）駆動部１２４は、集積回路（IC）状に形成されたり、各画素Ｐのトランジスタ形成工程とともに表示パネル１１０の基板に直接形成されて第１〜第mゲートライングループＧ１〜Ｇｍそれぞれの一側に接続されることができる。
【００６１】
ロウ（row）駆動部１２４は、複数の駆動電源ラインＰＬ１〜ＰＬｍそれぞれに連結され、外部の電源供給部（図示せず）から供給される駆動電源を複数の駆動電源ラインＰＬ１〜ＰＬｍそれぞれに伝達する。
【００６２】
タイミング制御部１２６は、カラム（column）駆動部１２２とロウ（row）駆動部１２４それぞれを表示モードで動作させ、センサ部１３０から伝達されるセンシング結果に応じて駆動トランジスタの特性を検出するか否かを決定し、駆動トランジスタの特性検出が決定されると、カラム（column）駆動部１２２とロウ（row）駆動部１２４それぞれを検出モードで動作させる。
【００６３】
一実施例において、タイミング制御部１２６は、センサ部１３０によって表示パネル１１０の周囲に使用者が存在しないものと判断される時間区間の間にのみ駆動トランジスタの特性を検出できる。この時、駆動トランジスタの特性検出は、表示パネル１１０に映像を表示するフレームのブランク期間で遂行されることができる。  
【００６４】
具体的には、タイミング制御部１２６は、ブランク期間ごとに１つの水平ラインに形成された画素Ｐの駆動トランジスタＤＴの特性を検出し、このような方法で複数のフレームのブランク期間にわたり表示パネル１１０の全ての画素Ｐの駆動トランジスタＤＴの特性を検出する。
【００６５】
上述した実施例においては、タイミング制御部１２６がセンサ部１３０のセンシング結果に応じて駆動トランジスタの特性を検出するか否かを決定するものと記載したが、変形された実施例においては、駆動トランジスタの特性検出は使用者によって決定されたり予め定められた周期ごとに遂行されることもできる。例えば、駆動トランジスタの特性検出は、表示パネル１１０の初期駆動時点や表示パネル１１０の長時間駆動後終了時点で行われることができる。この場合、タイミング制御部１２６は、表示パネル１１０の１つのフレーム間表示パネル１１０の全ての画素Ｐの駆動トランジスタＤＴの特性を検出する。
【００６６】
表示モード時、タイミング制御部１２６は、外部、即ちシステム本体（図示せず）またはグラフィックカード（図示せず）から入力されるタイミング同期信号ＴＳＳに基づいて、１水平期間単位に各ゲートライングループＧ１〜Ｇｍに接続された各画素Ｐをデータ充電期間及び上記発光期間に駆動させるためのデータ制御信号ＤＣＳ及びゲート制御信号ＧＣＳを生成し、これを用いてカラム（column）駆動部１２２とロウ（row）駆動部１２４それぞれの駆動を表示モードに制御する。
【００６７】
また、表示モード時、タイミング制御部１２６は、検出モードによってカラム（column）駆動部１２２から提供された各画素Ｐの検出データＤｓｅｎに基づいて、外部から入力される入力データＩｄａｔａを補正して画素データＤＡＴＡを生成し、生成された画素データＤＡＴＡをカラム駆動部１２２に供給する。この時、各画素Ｐに供給される画素データＤＡＴＡは、上記入力データＩｄａｔａに各画素Ｐの駆動トランジスタＤＴの特性変化に対応する上記検出データＤｓｅｎが反映された階調値を有する。
【００６８】
ここで、入力データＩｄａｔａは、１つの単位画素に供給される赤色、緑色、及び青色の入力データから構成されることができる。そして、単位画素が赤色画素、緑色画素、及び青色画素から構成される場合、１つの画素データＤＡＴＡは赤色、緑色、または青色のデータであることができる。一方、単位画素が赤色画素、緑色画素、青色画素及び白色画素から構成される場合、１つの画素データＤＡＴＡは赤色、緑色、青色、または白色のデータであることができる。
【００６９】
検出モード時、タイミング制御部１２６は、タイミング同期信号ＴＳＳ及び予め決定されている各水平ラインの検出順序に基づいて、検出対象となる水平ラインに対応するゲートライングループＧ１〜Ｇｍに接続された各画素Ｐの駆動トランジスタＤＴの特性を検出するためのデータ制御信号ＤＣＳ及びゲート制御信号ＧＣＳを生成し、これを用いてカラム（column）駆動部１２２とロウ（row）駆動部１２４それぞれの駆動を検出モードに制御する。
【００７０】
タイミング同期信号ＴＳＳは、垂直同期信号Ｖｓｙｎｃ、水平同期信号Ｈｓｙｎｃ、データイネーブルＤＥ、クロックＤＣＬＫなどであることができる。ゲート制御信号ＧＣＳは、ゲートスタート信号、及び複数のクロック信号などから構成されることができ、データ制御信号ＤＣＳは、データスタート信号、データシフト信号、及びデータ出力信号などから構成されることができる。
【００７１】
検出モード時、タイミング制御部１２６は、設定された検出用データを生成してカラム（column）駆動部１２２に供給する。一方、図２においては，カラム（column）駆動部１２２が複数のデータラインＤ１〜Ｄｎの一側に接続されるものと示したが、これに限定されずに、データ電圧Ｖｄａｔａの電圧降下を最小化するために複数のデータラインＤ１〜Ｄｎそれぞれの両側に接続されることができる。これと同様に、ロウ（row）駆動部１２４もゲート信号の電圧降下及び駆動電源ＶＤＤの電圧降下を最小化するために複数のゲートライングループＧ１〜Ｇｍと複数の駆動電源ラインＰＬ１〜ＰＬｍそれぞれの両側に接続されることができる。
【００７２】
図８は、図６に示されたカラム（column）駆動部を説明するための図面である。図８に示されたように、カラム（column）駆動部１２２は、データ電圧生成部１２２ａ、スイッチング部１２２ｂ、及び検出データ生成部１２２ｃを含む。以下では、説明の便宜上、図６及び図８を参照してカラム（column）駆動部を説明することにする。
【００７３】
データ電圧生成部１２２ａは、表示モードによるデータ制御信号ＤＣＳが入力されると、タイミング制御部１２６から供給される補正データＤＡＴＡをデータ電圧Ｖｄａｔａに変換してデータラインＤｉに供給する。また、データ電圧生成部１２２ａは、検出モードによるデータ制御信号ＤＣＳが入力されると、タイミング制御部１２６から供給される検出用画素データＤＡＴＡを検出用データ電圧Ｖｄａｔａに変換してデータラインＤｉに供給する。
【００７４】
このために、データ電圧生成部１２２ａは、サンプリング信号を生成するシフトレジスタ、サンプリング信号によって入力されるデータＤＡＴＡをラッチするラッチ部、複数の基準ガンマ電圧を用いて複数の階調電圧を生成する階調電圧生成部、複数の階調電圧のうちラッチされたデータＤＡＴＡに対応する階調電圧をデータ電圧Ｖｄａｔａとして選択して出力するデジタル−アナログ変換部、及びデータ電圧Ｖｄａｔａを出力する出力部を含むことができる。
【００７５】
スイッチング部１２２ｂは、表示モードによるタイミング制御部１２６の制御によって基準電圧Ｖｒｅｆを検出ラインＭｉに供給する。また、スイッチング部１２２ｂは、検出モードによるタイミング制御部１２６の制御によってプリチャージング電圧Ｖｐｒｅを検出ラインＭｉに供給した後、検出ラインＭｉをフローティングさせ、その後検出ラインＭｉを検出データ生成部１２２ｃに接続させる。例えば、スイッチング部１２２ｂはデマルチプレクサから構成されることができる。
【００７６】
検出データ生成部１２２ｃは、検出モード時にスイッチング部１２２ｂのスイッチングによって検出ラインＭｉに接続されると、検出ラインＭｉに充電された電圧を検出し、検出された電圧（Vsen）に対応するデジタル形態の検出データＤｓｅｎを生成してタイミング制御部１２６に提供する。
【００７７】
図９は、図６に示されたタイミング制御部を説明するための図面である。図９に示されたように、タイミング制御部１２６は、制御信号生成部１２６ａ、第１及び第２格納部Ｍ１，Ｍ２、データ処理部１２６ｂ、検出モード決定部１２６ｃ、及びスケジューリング部１２６ｄを含む。以下では、説明の便宜上、図６及び図９を参照してタイミング制御部１２６を説明することにする。
【００７８】
制御信号生成部１２６ａは、外部から入力されるタイミング同期信号ＴＳＳに基づいて表示モードまたは検出モードに対応するデータ制御信号ＤＣＳとゲート制御信号ＧＣＳを生成し、データ制御信号ＤＣＳをカラム（column）駆動部１２２に供給すると同時にゲート制御信号ＧＣＳをロウ（row）駆動部１２４に供給する。
【００７９】
特に、本発明による制御信号生成部１２６ａは、検出モード決定部１２６ｃから検出モード開始信号が転送されるとタイミング同期信号に基づいて検出モードに対応するデータ制御信号ＤＣＳ及びゲート制御信号ＧＣＳを生成し、検出モード終了信号が転送されるとタイミング同期信号に基づいて表示モードに対応するデータ制御信号ＤＣＳ及びゲート制御信号ＧＣＳを生成する。
【００８０】
この時、制御信号生成部１２６ａは、検出モードに対応するゲート制御信号ＧＣＳ生成時にスケジューリング部１２６ｄにより決定された各水平ラインの検出順序に基づいてゲート制御信号ＧＣＳを生成することによって、検出順序に該当する水平ラインに含まれている画素Ｐの駆動トランジスタＤＴ特性のみ検出されるようにすることができる。
【００８１】
第１格納部Ｍ１には表示パネル１１０の画素Ｐそれぞれに対する補償データＣｄａｔａが画素配置構造に対応するようにマッピングされている。このような補償データＣｄａｔａは、光学輝度測定装置による光学輝度測定方法によって生成されるものであって、本発明による表示パネル１１０の各画素Ｐに同一のテストパターンを表示して各画素Ｐの輝度を測定し、測定された各画素Ｐの輝度値とテストパターンによる基準輝度値の偏差を補償するために設定された画素別補償値になることができる。この時、第１格納部Ｍ１に格納された補償データＣｄａｔａは更新されないことが好ましい。
【００８２】
第２格納部（M２）には本発明の検出モードに応じてカラム（column）駆動部１２２により検出された画素Ｐそれぞれに対する初期検出データＤｓｅｎ’が画素配置構造に対応するようにマッピングされている。初期検出データＤｓｅｎ’は、表示パネル１１０の出荷時点（または初期駆動時点）に前述した検出モードの遂行を通じて検出された表示パネル１１０の全ての画素Ｐに対する駆動トランジスタＤＴの特性に対応する電圧値になることができる。
【００８３】
データ処理部１２６ｂは、上記したような検出モードによってカラム（column）駆動部１２２から提供された各画素Ｐの検出データＤｓｅｎと第２格納部（M２）に格納された各画素Ｐの初期検出データＤｓｅｎ’を比較し、その偏差が基準偏差範囲内である場合、第１格納部Ｍ１に格納された各画素の補償データＣｄａｔａに基づいて外部から入力される入力データＩｄａｔａを補正して補正データＤＡＴＡを生成し、生成された補正データＤＡＴＡをカラム（column）駆動部１２２に供給する。
【００８４】
一方、データ処理部１２６ｂは、各画素Ｐの検出データＤｓｅｎと初期検出データＤｓｅｎ’の偏差が基準偏差範囲を超える場合、各画素Ｐの検出データＤｓｅｎと初期検出データＤｓｅｎ’の偏差と各画素の補償データＣｄａｔａに基づいて入力データＩｄａｔａを補正して補正データＤＡＴＡを生成し、生成された補正データＤＡＴＡをカラム（column）駆動部１２２に供給する。
【００８５】
このような、データ処理部１２６ｂは、検出データＤｓｅｎに基づいて各画素Ｐの駆動トランジスタＤＴの特性変化による電流変化量を推測して補償値を決定し、補償値に応じて入力データＩｄａｔａを補正して補正データＤＡＴＡを生成する。従って、各画素Ｐの発光素子ＯＬＥＤは、補正データＤＡＴＡにより駆動トランジスタＤＴの特性変化が補償されたデータ電圧Ｖｄａｔａによって最初入力データＩｄａｔａに対応する輝度に発光するようになる。
【００８６】
検出モード決定部１２６ｃは、センサ部１３０から転送されるセンシング結果に応じて検出モードを開始及び終了するか否かを決定し、検出モードの開始信号または検出モードの終了信号を生成して制御信号生成部１２６ａに転送する。
【００８７】
一実施例において、検出モード決定部１２６ｃは、センサ部１３０によって表示パネル１１０の周囲に使用者が存在しないものと判断されると、検出モードの開示を決定し、それによって検出モード開始信号を生成して制御信号生成部１２６ａに転送する。
【００８８】
その後、センサ部１３０によって表示パネル１１０の周囲に使用者が存在するものと判断されると、検出モード決定部１２６ｃは、検出モード終了信号を生成して制御信号生成部１２６ａに転送する。
【００８９】
この時、検出モード開始信号はハイレベルを有するパルス信号で、検出モード終了信号はロウレベルを有するパルス信号であることができる。スケジューリング部１２６ｄは、検出モードの遂行時に表示パネル１１０に含まれた各水平ライン別に駆動トランジスタＤＴの特性検出のための検出順序を決定する。一実施例において、スケジューリング部１２６ｄは、表示パネル１１０の各水平ラインに含まれた画素の輝度及び周波数成分によって各水平ライン別に駆動トランジスタＤＴの特性を検出するための検出順序を決定することができる。
【００９０】
例えば、スケジューリング部１２６ｄは、各水平ラインを各水平ラインに含まれた画素Ｐの平均輝度順に羅列し、各水平ラインに含まれた画素Ｐの平均輝度が高い水平ラインから低い水平ライン順に順次検出順序を決定することができる。
【００９１】
他の例として、スケジューリング部１２６ｄは、各水平ラインに含まれた画素Ｐの輝度値を周波数成分に変換した時に最も高い周波数成分を各水平ラインの代表周波数値に決定し、代表周波数値が高い水平ラインから低い水平ライン順に順次検出順序を決定することができる。
【００９２】
スケジューリング部１２６ｄは、決定された検出順序を制御信号生成部１２６ａに転送することによって、制御信号生成部１２６ａが決定された検出順序によってゲート制御信号ＧＣＳを生成できるようにする。
【００９３】
再び図６を参照すると、センサ部１３０は、多様なセンサを用いて表示パネル１１０の周囲に使用者が存在するか否かをセンシングし、センシング結果をパネル駆動１２０に伝達する。一実施例において、センサ部１３０は、熱センサ、赤外線センサ、及びフォトセンサのうち少なくとも１つを用いて表示パネル１１０の周囲に使用者が存在するか否かをセンシングすることができる。
【００９４】
以下、図１０及び図１１を参照して表示モードによる有機発光装置の動作と検出モードによる有機発光装置の動作について簡略に説明する。図１０は、上述した有機発光表示装置の表示モード時の駆動波形を示す波形図である。図１０を図６及び図８と関連付けて図８に示された１つの画素Ｐに対する表示モードの動作を説明すると次の通りである。
【００９５】
まず、前述したタイミング制御部１２６は、カラム（column）駆動部１２２から提供された各画素Ｐの検出データＤｓｅｎに基づいて入力データＩｄａｔａを補正し、補正データＤＡＴＡを生成する。そして、タイミング制御部１２６は、カラム（column）駆動部１２２とロウ（row）駆動部１２４それぞれの駆動タイミングを制御して画素Ｐをデータ充電期間ｔ１及び発光期間ｔ２に駆動する。
【００９６】
データ充電期間ｔ１においては、前述したロウ（row）駆動部１２４によってゲートオン電圧レベルの第１及び第２ゲート信号ＧＳａ，ＧＳｂが第１及び第２ゲートラインＧａ、Ｇｂそれぞれに供給され、前述したカラム（column）駆動部１２２によって補正データＤＡＴＡから変換されたデータ電圧ＶｄａｔａがデータラインＤｉに供給されると同時に基準電圧Ｖｒｅｆが検出ラインＭｉに供給される。
【００９７】
これによって、各画素Ｐの第１及び第２スイッチングトランジスタＳＴ１，ＳＴ２それぞれがゲートオン電圧レベルの第１及び第２ゲート信号ＧＳａ，ＧＳｂによりターン−オンされることによって第１ノードｎ１にはデータ電圧Ｖｄａｔａが供給され、第２ノードｎ２の電圧は基準電圧Ｖｒｅｆとして初期化される。従って、第１ノードｎ１と第２ノードｎ２に接続されたキャパシタＣｓｔは、データ電圧Ｖｄａｔａと基準電圧Ｖｒｅｆの差電圧Ｖｄａｔａ-Ｖｒｅｆに充電される。
【００９８】
続いて、発光期間ｔ２においては、ロウ（row）駆動部１２４によってゲートオフ電圧レベルの第１及び第２ゲート信号ＧＳａ，ＧＳｂが第１及び第２ゲートラインＧａ、Ｇｂそれぞれに供給される。これによって、発光期間ｔ２においては各画素Ｐの第１及び第２スイッチングトランジスタＳＴ１，ＳＴ２それぞれがゲートオフ電圧レベルの第１及び第２ゲート信号ＧＳａ，ＧＳｂによりターン−オフされることによって駆動トランジスタＤＴがキャパシタＣｓｔに格納された電圧によりターン−オンされる。
【００９９】
従って、ターン−オンされた駆動トランジスタＤＴは、下記式１のように、データ電圧Ｖｄａｔａと基準電圧Ｖｒｅｆの差電圧Ｖｄａｔａ-Ｖｒｅｆにより決定されるデータ電流Ｉｏｌｅｄを発光素子ＯＬＥＤに供給することによって、発光素子ＯＬＥＤが駆動電源ライン（PL）からカソード電極に流れるデータ電流Ｉｏｌｅｄに比例して発光されるようにする。即ち、発光期間ｔ２において、第１及び第２スイッチングトランジスタＳＴ１，ＳＴ２がターン−オフされると、駆動トランジスタＤＴに電流が流れ、この電流に比例して発光素子ＯＬＥＤが発光を開始しながら第２ノードｎ２の電圧が上昇するようになり、キャパシタＣｓｔにより第２ノードｎ２の電圧が上昇した分第１ノードｎ１の電圧が上昇することによってキャパシタＣｓｔの電圧により駆動トランジスタＤＴのゲート−ソース電圧（Vgs）が持続的に維持され、発光素子ＯＬＥＤが次のデータ充電期間ｔ１まで発光を持続するようになる。
【０１００】
【数１】
2014109778.tif 000003
【０１０１】
式１において、「ｋ」は比例定数であって，駆動トランジスタＤＴの構造と物理的特性により決定される値であり、駆動トランジスタＤＴの移動度（mobility）及び駆動トランジスタＤＴのチャネル幅Ｗとチャネル長Ｌの比である「Ｗ／Ｌ」などによって決定されることができる。
【０１０２】
式１のように、発光期間ｔ２の間に発光素子ＯＬＥＤに流れるデータ電流Ｉｏｌｅｄは、駆動トランジスタＤＴの特性変化が補償された補正データＤＡＴＡから変換されたデータ電圧Ｖｄａｔａによって駆動トランジスタＤＴの特性変化に影響を受けず、単にデータ電圧Ｖｄａｔａと基準電圧Ｖｒｅｆの差によって決定されるものであることが分かる。
【０１０３】
従って、本発明の一例による有機発光表示装置は、表示モード時に画素Ｐの駆動トランジスタＤＴの特性に対応する検出データＤｓｅｎが反映された補正データＤＡＴＡにより画素Ｐを駆動することによって、画素Ｐの駆動トランジスタＤＴの特性変化の偏差を周期的またはリアルタイムで補償することができる。
【０１０４】
図１１は、上述した有機発光表示装置の検出モード時の駆動波形を示す波形図である。図１１を図６及び図８と関連づけて図８に示された１つの画素Ｐに対する検出モードの動作を説明すると次の通りである。
【０１０５】
まず、センサ部１３０のセンシング結果に応じて検出モードの開示が決定されると、前述したタイミング制御部１２６は、前述したカラム（column）駆動部１２２とロウ（row）駆動部１２４それぞれの駆動タイミングを制御して画素Ｐを初期化期間ｔ１、検出電圧充電期間ｔ２、及び電圧検出期間ｔ３に駆動する。
【０１０６】
初期化期間ｔ１においては、ロウ（row）駆動部１２４によってゲートオン電圧レベルの第１及び第２ゲート信号ＧＳａ，ＧＳｂが第１及び第２ゲートラインＧａ、Ｇｂに供給され、カラム（column）駆動部１２２によって検出用画素データＤＡＴＡから変換された検出用データ電圧ＶｄａｔａがデータラインＤｉに供給されると同時にプリチャージング電圧Ｖｐｒｅが検出ラインＭｉに供給される。
【０１０７】
これによって、各画素Ｐの第１及び第２スイッチングトランジスタＳＴ１，ＳＴ２それぞれがゲートオン電圧レベルの第１及び第２ゲート信号ＧＳａ，ＧＳｂによりターン−オンされることによって第１ノードｎ１にはデータ電圧Ｖｄａｔａが供給され、第２ノードｎ２の電圧はプリチャージング電圧Ｖｐｒｅとして初期化されることによって、キャパシタＣｓｔにはデータ電圧Ｖｄａｔａとプリチャージング電圧Ｖｐｒｅの差電圧Ｖｄａｔａ−Ｖｐｒｅが充電される。
【０１０８】
続いて、検出電圧充電期間ｔ２においては、ロウ（row）駆動部１２４によってゲートオン電圧レベルの第１及び第２ゲート信号ＧＳａ，ＧＳｂが第１及び第２ゲートラインＧａ、Ｇｂに供給され、カラム（column）駆動部１２２の駆動によって検出用データ電圧ＶｄａｔａがデータラインＤｉに継続して供給されると同時に検出ラインＭｉがフローティングされる。これにより、検出電圧充電期間ｔ２においては、検出用データ電圧Ｖｄａｔａによって駆動トランジスタＤＴがターン−オンされ、ターン−オンされた駆動トランジスタＤＴに流れる電流に対応する電圧がフローティング状態の検出ラインＭｉに充電される。この時、検出ラインＭｉには駆動トランジスタＤＴの特性のうち１つであるしきい値電圧に対応する電圧が充電される。
【０１０９】
続いて、電圧検出期間ｔ３においては、ロウ（row）駆動部１２４によってゲートオフ電圧レベルの第１ゲート信号ＧＳａが第１ゲートラインＧａに供給されると同時にゲートオン電圧レベルの第２ゲート信号ＧＳｂが第２ゲートライＧｂに供給され、フローティングされた検出ラインＭｉがカラム（column）駆動部１２２に再度接続される。これにより、電圧検出期間ｔ３の間、カラム（column）駆動部１２２は、接続された検出ラインＭｉに充電された電圧を検出し、検出された電圧、即ち駆動トランジスタＤＴのしきい値電圧に対応する電圧を検出データＤｓｅｎに変換してタイミング制御部１２６に提供する。
【０１１０】
一方、タイミング制御部１２６は、検出モードを通じて各画素Ｐの駆動トランジスタＤＴのしきい値電圧を検出した後、各画素Ｐの駆動トランジスタＤＴの移動度を検出するために検出モードを再遂行することができる。この場合、タイミング制御部１２６は、前述した検出モードを同一に行うものの、各画素Ｐの第１スイッチングトランジスタＳＴ１が初期化期間ｔ１の間にのみターン−オンされ、検出用データ電圧Ｖｄａｔａが初期化期間ｔ１の間にのみ供給されるようにカラム（column）駆動部１２２とロウ（row）駆動部１２４それぞれを制御する。
【０１１１】
これにより、検出モードの再遂行時に、検出電圧充電期間ｔ２においては第１スイッチングトランジスタＳＴ１のターン−オフにより駆動トランジスタＤＴのゲート−ソース電圧がいずれも上昇することによってキャパシタＣｓｔの電圧により駆動トランジスタＤＴのゲート−ソース電圧が維持され、駆動トランジスタＤＴの流れる電流に対応する電圧、即ち駆動トランジスタＤＴの移動度に対応する電圧がフローティングされた検出ラインＭｉに充電される。そして、検出モードの再遂行時に、カラム（column）駆動部１２２は、検出ラインＭｉに充電された電圧、即ち駆動トランジスタＤＴの移動度に対応する電圧を検出し、検出された電圧を検出データＤｓｅｎに変換してタイミング制御部１２６に提供する。
【０１１２】
このように、本発明は、センサ部１３０により表示パネル１１０の周囲に使用者が存在しない場合にのみ検出モードを遂行することによって、複数の検出ライン（M１〜Mi）それぞれを通じて各画素Ｐの駆動トランジスタＤＴの特性に対応する検出データＤｓｅｎを生成し、全ての画素の駆動トランジスタＤＴの特性に対応する検出データの生成が完了すると、これを入力データＩｄａｔａに反映させて画素Ｐを駆動することによって入力データの補償による画面の不均一性を使用者が認知できなくすることができる。
【０１１３】
以下では、図１２を参照して本発明の一実施例による有機発光装置の動作方法を説明する。図１２は、本発明の一実施例による有機発光装置の動作方法を示すフローチャートである。
【０１１４】
まず、表示パネルに電源を印加して表示パネルを駆動させる（Ｓ１２００）。その後、駆動中の表示パネルの周囲に使用者が存在するか否かを判断する（Ｓ１２１０）。一実施例において、駆動中の表示パネルの周囲に使用者が存在するか否かは、熱センサ、赤外線センサ、及びフォトセンサのうち少なくとも１つを用いて判断することができる。
【０１１５】
例えば、熱センサを用いる場合、熱センサによって感知される温度変化を用いて表示パネルの周囲に使用者が存在するか否かを判断するようになる。他の例として、フォトセンサを用いる場合、フォトセンサを用いて撮影されたＮ−１番目のイメージとＮ番目のイメージを比較して表示パネルの周囲に使用者が存在するか否かを判断するようになる。Ｓ１２１０の判断結果、表示パネルの周囲に使用者が存在するものと判断されると、表示パネルを表示モードに動作させ、表示パネルの各画素に含まれた発光素子にデータ電圧に対応するデータ電流を供給して発光素子を発光させる（Ｓ１２２０）。Ｓ１２１０の判断結果、表示パネルの周囲に使用者が存在しないものと判断されると、表示パネルを検出モードに動作させ、表示パネルに含まれた各画素の駆動トランジスタのしきい値電圧及び移動度のうち少なくとも１つを含む駆動トランジスタの特性を検出する（S１２３0）。
【０１１６】
一実施例において、駆動トランジスタの特性検出は表示パネルに含まれた各水平ライン別に予め決定されている検出順序によって各水平ライン別に遂行されることができる。従って、図１２には図示されていないが、本発明の一実施例による有機発光装置の動作方法は各水平ライン別検出順序を決定する過程をさらに含むことができる。
【０１１７】
この時、各水平ライン別に予め決定されている検出順序は、各水平ラインに含まれた画素の輝度及び周波数成分によって決定されることができる。具体的には、各水平ラインに含まれた画素の平均輝度順序によって検出順序を決定する場合、検出順序は各水平ラインに含まれた画素の平均輝度が高い水平ラインから低い水平ライン順に決定される。
【０１１８】
また、各水平ラインに含まれた画素の周波数成分によって検出順序を決定する場合、検出順序は各水平ラインの代表周波数値が高い水平ラインから低い水平ライン順に決定される。この時、各水平ラインの代表周波数値は、各水平ラインに含まれた画素の輝度値を周波数成分に変換した時に最も高い周波数成分を意味する。
【０１１９】
次に、全ての画素の駆動トランジスタの特性検出が完了されたか否かを判断し（Ｓ１２４０）、完了されたら検出された駆動トランジスタの特性に応じて入力データを補償してデータ電圧を生成する（Ｓ１２５０）。
【０１２０】
その後、Ｓ１２５０において生成されたデータ電圧に対応するデータ電流を表示パネルに含まれた発光素子に供給して発光素子を発光させる（Ｓ１２２０）。一方、Ｓ１２４０の判断結果、各水平ラインに含まれた全ての画素の駆動トランジスタの特性検出が完了されていない場合には、Ｓ１２１０に回帰して以後の過程を繰り返す。この時、一部水平ラインに含まれた画素の駆動トランジスタの特性検出のみが完了された状態で使用者が戻って表示パネルの周囲に使用者が再度存在するものと判断されると、駆動トランジスタの特性検出は停止され、Ｓ１２２０に進行して表示パネルを表示モードに駆動させるようになる。
【０１２１】
その後、再度表示パネルの周囲に使用者が存在しないものと判断されると、検出順序に基づいて検出が完了された水平ラインの次回の水平ラインに含まれた画素の駆動トランジスタ特性を検出するようになる。
【０１２２】
上述した有機発光装置の駆動方法は、多様なコンピュータ手段を用いて遂行されることができるプログラム形態でも具現されることができる。この時、バッテリの充放電制御方法を遂行するためのプログラムは、ハードディスク、ＣＤ−ＲＯＭ、ＤＶＤ、ロム（ＲＯＭ）、ＲＡＭ、またはフラッシュメモリのようなコンピュータで読み出すことができる記録媒体に格納される。
【０１２３】
本発明の属する技術分野の当業者は上述した本発明がその技術的思想や必須の特徴を変更することなく他の具体的な形態で実施されることができるということを理解できるであろう。
【０１２４】
従って、以上において記述した実施例は全ての側面において例示的なものであり、限定的なものではないものと理解されなければならない。本発明の範囲は、上記詳細な説明よりは後述する特許請求の範囲によって表され、特許請求の範囲の意味及び範囲そしてその等価概念から導き出される全ての変更または変形された形態が本発明の範囲に含まれるものと解釈されなければならない。
【符号の説明】
【０１２５】
１１０：表示パネル
１２０：パネル駆動部
１２２：カラム（column）駆動部
１２４：ロウ（row）駆動部
１２６：タイミング制御部
１３０：センサ部
【図１】
2014109778.tif 000004
【図２】
2014109778.tif 000005
【図３】
2014109778.tif 000006
【図４Ａ】
2014109778.tif 000007
【図４Ｂ】
2014109778.tif 000008
【図４Ｃ】
2014109778.tif 000009
【図５Ａ】
2014109778.tif 000010
【図５Ｂ】
2014109778.tif 000011
【図５Ｃ】
2014109778.tif 000012
【図５Ｄ】
2014109778.tif 000013
【図６】
2014109778.tif 000014
【図７】
2014109778.tif 000015
【図８】
2014109778.tif 000016
【図９】
2014109778.tif 000017
【図１０】
2014109778.tif 000018
【図１１】
2014109778.tif 000019
【図１２】
2014109778.tif 000020